(57)【要約】【課題】仮保持フックでスクリーンをブラケットに仮保持すると、位置決めリブがブラケットの誘い穴に自然に誘い込まれ、スクリーンとブラケットのネジ締め位置が自然に定まり、車両への取り付け作業が容易となる電子機器の仮固定構造を提供する。【解決手段】室内の一面に固定されるブラケット４に取り付けられるスクリーン本体１と、スクリーン本体１およびブラケット４のいずれか一方に設けられた誘い穴４１と、他方に重心よりずれた位置に設けられ、かつ、誘い穴４１に嵌合可能な仮保持用フック１３と、仮保持用フック１３を誘い穴４１に通してスクリーン本体１を仮保持したとき、重心のずれにより傾いてブラケット４に接近するスクリーン本体１側において、スクリーン本体１およびブラケット４のいずれか一方に設けられた位置決め穴４２と、他方に設けられ、かつ、位置決め穴４２に嵌合してネジ位置を合わせる位置決めリブ１４とを備えたものである。【選択図】図１
2010188804.tif 000002
【特許請求の範囲】
【請求項１】
室内の一面に固定されるブラケットと、
前記ブラケットに取り付けられる機器本体と、
前記機器本体および前記ブラケットのいずれか一方に設けられた誘い穴と、
他方に重心よりずれた位置に設けられ、かつ、前記誘い穴に嵌合可能な仮保持用フックと、
前記仮保持用フックを前記誘い穴に通して前期機器本体を仮保持したとき、重心のずれにより傾いて前記ブラケットに接近する前記機器本体側において、前記機器本体および前記ブラケットのいずれか一方に設けられた位置決め穴と、
他方に設けられ、かつ、前記位置決め穴に嵌合してネジ位置を合わせる位置決めリブと
を備えた電子機器の仮固定構造。
【請求項２】
仮保持用フックは先端に係合爪を有し、前記仮保持用フックの垂直片が誘い穴内を終端まで移動したとき前記係合爪が係合する係合穴をブラケットに設けたことを特徴とする請求項１記載の電子機器の仮固定構造。
【請求項３】
位置決めリブは、ネジ締め位置近傍に設けたことを特徴とする請求項１記載の電子機器の仮固定構造。
【請求項４】
仮保持用フックは、垂直片の先端部から平行に延びる平行片と、この平行片の先端部に形成された係合爪とを有し、前記係合爪の基部から前記平行片の基部に向かって角度θの上向き傾斜面が形成されていることを特徴とする請求項１記載の電子機器の仮固定構造。
【請求項５】
誘い穴および位置決め穴は、仮保持用フックおよび位置決めリブの挿入部が幅広く該仮保持用フックおよび位置決めリブの移動終端部が幅狭く形成されていることを特徴とする請求項１記載の電子機器の仮固定構造。
【発明の詳細な説明】
【技術分野】
【０００１】
この発明は例えば自動車、電車および船舶等の移動体の室内に配置されるテレビモニタ等の電子機器を室内の一面例えば天井面に取り付けるための電子機器の仮固定構造に関するものである。
【背景技術】
【０００２】
従来、例えば、特許文献１には、車両天井面に固定したブラケットの各切片がそれぞれ対応する貫通穴に挿入されるように機器本体を持ち上げるとき、機器本体の切片の嵌合爪を、ブラケットの切片の先端側から嵌合穴に向けて近づけ、機器本体の切片を嵌合爪の高さ分だけ内方に撓ませ、機器本体の切片の弾性反発力により、嵌合爪を嵌合穴に嵌合させる電子機器の仮固定構造が開示されている。
【先行技術文献】
【特許文献】
【０００３】
【特許文献１】特開２００３−３３３４５８号公報
【発明の概要】
【発明が解決しようとする課題】
【０００４】
しかし、特許文献１に開示された構成によれば、機器本体を車両天井面に仮固定後にブラケットに機器本体をネジ止めする際、機器本体側の取り付け穴とブラケット側の取り付け穴との位置あわせ作業が困難であり、取り付け作業性が悪いという課題があった。
この発明は、上記のような課題を解消するためになされたもので、仮保持が容易にでき、ネジ止め時にネジ位置を容易に合わせることができる電子機器の仮固定構造を提供することを目的とする。
【課題を解決するための手段】
【０００５】
この発明に係る電子機器の仮固定構造は、室内の一面に固定されるブラケットと、ブラケットに取り付けられる機器本体と、機器本体およびブラケットのいずれか一方に設けられた誘い穴と、他方に重心よりずれた位置に設けられ、かつ、誘い穴に嵌合可能な仮保持用フックと、仮保持用フックを誘い穴に通して機器本体を仮保持したとき、重心のずれにより傾いてブラケットに接近する機器本体側において、機器本体およびブラケットのいずれか一方に設けられた位置決め穴と、他方に設けられ、かつ、位置決め穴に嵌合してネジ位置を合わせる位置決めリブとを備えたものである。
【発明の効果】
【０００６】
この発明の電子機器の仮固定構造は、機器本体を車両に組付ける際に、仮保持フックを誘い穴に嵌合して機器本体をブラケットに仮保持すると、位置決めリブが位置決め穴に自然に誘い込まれ、機器本体とブラケットのネジ締め位置が自然に定まることにより、ブラケットに対する機器本体の仮保持が容易に行なわれるとともに、ブラケットに対する機器本体のネジ止め作業が容易にできるという効果がある。
【図面の簡単な説明】
【０００７】
【図１】機器本体を示す斜視図である。
【図２】機器本体に組み付けるベゼルを示す斜視図である。
【図３】機器本体にベゼルを組み付けた状態を示す斜視図である。
【図４】ロック開放ボタンを操作してロックを外し、ディスプレイを使用状態に開いた状態を示す斜視図である。
【図５】図１の領域Ａの拡大斜視図である。
【図６】図１の領域Ｂの拡大斜視図である。
【図７】機器本体と、この機器本体を取り付けるブラケットを示す側面図である。
【図８】図７の領域Ｃの拡大斜視図である。
【図９】機器本体をブラケットに仮止めした状態を示す側面図である。
【図１０】図９の領域Ｄの分解拡大斜視図である。
【図１１】実施の形態２における仮保持用フックの側面図である。
【図１２】実施の形態３における仮保持用フックに対する誘い穴の形状を示す斜視図である。
【図１３】実施の形態３における仮保持用フックに対する位置決め穴の形状を示す斜視図である。
【発明を実施するための形態】
【０００８】
以下、この発明の実施の形態を図面を参照しながら詳細に説明する。
実施の形態１．
図面は、発明に係る電子機器として天吊り型スクリーン（以下、スクリーンと略称する）を例示するもので、このスクリーンはスクリーン本体１とベゼル（カバー）２とで構成されている。図１はスクリーン本体１を示す斜視図であり、板金製の天板１１の内面に樹脂製の本体ケース１２がネジ止め、接着等の手段で一体に構成されている。
【０００９】
天板１１の外面（ブラケット対向面）両側縁には、図５に拡大して示すように略逆Ｌ字型をした仮保持用フック１３が形成されている。この仮保持用フック１３は重心からずれた両側縁位置に形成されている。そして、この仮保持用フック１３でスクリーン本体１をブラケット４に仮保持すると、スクリーン本体１は重心からずれた位置が仮保持用フック１３で支持されるため自重で傾く。そこで、この傾きでブラケット４に接近する天板１１側の両側縁位置（図面では片側のみ示す）には、図６に拡大して示すように山形状の位置決めリブ１４が形成されている。
仮保持用フック１３は天板面から垂直に延びる垂直片１３ａと、この垂直片１３ａの先端部から天板面と平行に延びる平行片１３ｂと、この平行片１３ｂの先端部から天板面側に突出した係合爪１３ｃとからなり、この係合爪１３ｃはブラケット４の係合穴４３に係合する面１３ｃ−１が該ブラケット面に対して垂直に形成され、この面１３ｃ−１の先端から平行片１３ｂの先端に向かって斜面１３ｃ−２に形成されている。
【００１０】
天板１１の内面の一端側両側縁には、軸受け部１５が設けられている。この軸受け部１５には、ディスプレイ（表示部）３の一端側が軸３１により開閉自在に軸受けされている。そして、ディスプレイ３の他端側には本体ケース１２に係止される係止部（図示せず）が設けられている。
【００１１】
図２はスクリーン本体１に組み付けるベゼル２を示す斜視図であり、ディスプレイ３を開閉可能とするための開口２１を有し、コ字状に形成されている。ここでベゼル２の形状はコ字状に限定されるものでなく、口の字形としてもよい。そして、コ字状基部の中央には、ディスプレイ３のロック開放ボタン１６が貫通突出するための穴２２が設けられている。
【００１２】
図３はスクリーン本体１にベゼル２を組み付けた状態を示す斜視図であり、図４は図３の状態において、ロック開放ボタン１６を操作してロックを外し、ディスプレイ３を使用状態に開いた状態を示す斜視図である。
【００１３】
図７はスクリーン本体１と、このスクリーン本体１が取り付けられ車両等の移動体側に設けられたブラケット４を示す側面図であり、このブラケット４には、仮保持用フック１３の誘い穴４１と位置決めリブ１４の位置決め穴４２および仮保持用フック１３の係止爪１３ｃが係合する係合穴４３が形成されている。誘い穴４１は図８に示すように、一端側は幅広く他端側は仮保持用フック１３の厚みに近い幅狭に形成されている。また、位置決め穴４２は図９、図１０に示すように、中央部の幅が広く両端側が位置決めリブ１４の厚みに近い幅狭に形成された鍵穴状に形成されている。そして、誘い穴４１および位置決め穴４２は、幅広部と幅狭部との間が斜面または曲線で接続されている。
【００１４】
次に組み付け動作について説明する。まず、図７に示すように、スクリーン本体１を手（図示せず）で持ち上げてブラケット４の誘い穴４１に仮保持用フック１３を合わせ、スクリーン本体１をブラケット４と平行に配置する。そして、スクリーン本体１をブラケット４に押し付けるようにして、仮保持用フック１３を誘い穴４１に挿入した後、図８に拡大して示すように、仮保持用フック１３の垂直片１３ａが誘い穴４１の幅狭部に位置するまで移動させる。
【００１５】
移動後、スクリーン本体１から手を放すと、スクリーン本体１は仮保持用フック１３が重心位置からずれた位置にあるため、図９に示すように仮保持用フック１３の係合爪１３ｃがブラケット４の係合穴４３に係合して仮止めされるとともに、その仮保持用フック１３を回動軸とし、一端側がブラケット４から離れる方向に他端側が近づく方向に傾き回動する。このため、図１０に拡大して示すように、ブラケット４に近づく他端側に設けた位置決めリブ１４が位置決め穴４２に進入する。この進入によって、スクリーン本体１の取り付け穴１７とブラケット４のネジ締め穴４４との位置合わせが自然に行われる。
このため、スクリーン本体１の取り付け穴１７とブラケット４のネジ締め穴４４との位置合わせを特別に行うことなく、取り付け穴１７とネジ締め穴４４を貫通して取り付けねじ５を通すことができ、ブラケット４側のナット６に取り付けねじ５を螺合することにより、スクリーン本体１のブラケット４に対するネジ止め作業を容易に行うことができる。
【００１６】
この実施の形態１の電気機器の仮固定装置は、スクリーン本体１に重心位置から外れた位置に設けた仮保持用フック１３によって、スクリーン本体１を傾けてブラケット４に仮止めし、この傾きによって位置決めリブ１４が位置決め穴４２に自然に誘い込まれるので、スクリーン本体１の取り付け穴１７とブラケット４のネジ締め穴４４との位置合わせが自然に行われ、ブラケット、つまり、車両に対する取り付け作業が容易になる。このように、仮保持用フック１３を誘い穴４１に挿入してスクリーン本体１を傾けるという一工程で、スクリーン本体１のブラケット４に対する仮固定、ネジ締め位置合わせの二つの作業を容易に行うことができ、作業性を大幅に改善することができるという効果がある。
【００１７】
実施の形態２．
実施の形態１における仮保持用フック１３は逆Ｌ字型に形成されているが、この実施形態２では、図１１に示すように、この仮保持用フック１３の平行片１３ｂのブラケット対向面に係合爪１３ｃの基部から該平行片の基部に向かって角度θの上向き傾斜１３ｄをつけたもので、予めこの角度θをスクリーン本体１の仮保持時の傾きに対応させて調整しておくことにより、スクリーン本体１の仮保持時の傾きを規定することができる。この結果、仮保持時に、スクリーン本体１の位置決めリブ１４が確実に位置決め穴４２に誘い込まれて、スクリーン本体１の取り付け穴１７とブラケット４のネジ締め穴４４との位置合わせが行われ、ブラケット４に対するスクリーン本体１のネジ止め作業をより容易に行うことができる。
【００１８】
実施の形態３．
実施の形態１における誘い穴４１は一端側が幅広く他端側が仮保持用フック１３の厚みに近い幅狭に形成されているが、この実施の形態３では、図１２に示すように、一端側は仮保持用フック１３の長さに近似する長さ分は幅広く他端側は垂直片１３ａの幅Ｗに近似する長さ分は仮保持用フック１３の厚みに近い幅に形成され、その両者を繋ぐ中間部４１ａは斜面で接続した羽子板状に形成されている。そして、仮保持用フック１３が移動する誘い穴４１の延長線上に、仮保持用フック１３の垂直片１３ａの係合穴４３が形成されている。また、位置決め穴４２は図１３に示すように、中間部が最も幅広く、この幅広中間点から位置決めリブ１４の厚みに近い幅に形成した左右の穴縁を斜面４２ａで接続した構成である。
【００１９】
このように構成すると、誘い穴４１は仮保持用フック１３を通し易くなるとともに、このスクリーン本体１が自重で傾くのに従って位置決めリブ１４が容易に位置決め穴４２に誘い込まれ、スクリーン本体１の取り付け穴１７とブラケット４のネジ締め穴４４との位置合わせが確実に行われる。この状態で取り付け穴１７とネジ締め穴４４を貫通して取り付けねじ５を通すことができ、ブラケット４側のナット６に取り付けねじ５を螺合することにより、スクリーン本体１のブラケット４に対するネジ止め作業を容易に行うことができる
【００２０】
なお、実施の形態１〜実施の形態３では、スクリーン本体１の天板１１に仮保持用フック１３、位置決めリブ１４を形成したものであるが、この仮保持用フック１３、位置決めリブ１４は本体ケース１２に取り付けてもよい。また、仮保持用フック１３、位置決めリブ１４をブラケット４側に、誘い穴４１、位置決め穴４２、係合穴４３をスクリーン本体１側に設けてもよい。この場合、スクリーン本体１側に設ける仮保持用フック１３あるいは誘い穴４１は、スクリーン本体１の重心のずれた位置に設けることは必要である。
【００２１】
上記の実施の形態では、電子機器としての天吊りタイプスクリーンを車両の天井面に固定する場合について説明したが、この発明の仮固定構造は、電車および船舶等の移動体あるいは建物内の天井面に電気機器を固定する場合にも同様に適用することができる。
【符号の説明】
【００２２】
１  スクリーン本体、２  ベゼル（カバー）、３  ディスプレイ、４  ブラケット、５
取り付けねじ、６  ナット、１１  天板、１２  本体ケース、１３  仮保持用フック、１４  位置決めリブ、１５  軸受け部、１６  ロック開放ボタン、１７  取り付け穴、２１  開口、２２  穴、３１  軸受け部、４１  誘い穴、４２  位置決め穴、４３  係合穴。
【図１】
2010188804.tif 000003
【図２】
2010188804.tif 000004
【図３】
2010188804.tif 000005
【図４】
2010188804.tif 000006
【図５】
2010188804.tif 000007
【図６】
2010188804.tif 000008
【図７】
2010188804.tif 000009
【図８】
2010188804.tif 000010
【図９】
2010188804.tif 000011
【図１０】
2010188804.tif 000012
【図１１】
2010188804.tif 000013
【図１２】
2010188804.tif 000014
【図１３】
2010188804.tif 000015